(57)【要約】      （修正有）【課題】可聴的警報及び視覚的警報の両方を看護師に容易に認識されるとともに患者達の邪魔にならないより良い警報機構を備える患者監視システムを提供する。【解決手段】患者監視用システムは、モニタ・ディスプレイアセンブリと、複数の任意の独立型ディスプレイと、複数の任意の独立型モニタと、１つまたは複数のモジュールと、少なくとも１つの患者パラメータ計測装置とを含む複数の構成要素を備える。該システムは、該モニタ・ディスプレイアセンブリ用のドッキングステーションと、該モニタ・ディスプレイアセンブリに装着用の複数のカプノグラフィおよび／またはマルチガスポッドをさらに備える。該モニタ・ディスプレイアセンブリ、ドッキングステーション、および複数のポッドは、該システムの携帯性を向上させる。【選択図】図１
2018057914.tif 000002
【特許請求の範囲】
【請求項１】
ハウジングと該ハウジングの外表面に位置する凹部とを有するモニタと、
該凹部に挿入可能な外部装着ポッドであって、
該モニタにおける該外表面上の複数のコネクタに接続するための複数のポゴピンと、
該ポッドを該モニタに結合するための少なくとも１つのガイドピンと、
該ポッドを該モニタから接続するためおよび取外しするためのラッチ機構と、を有する外部装着ポッドと、を備える患者監視システム。
【請求項２】
該ポッドは二酸化炭素濃度を計測可能であることを特徴とする請求項１に記載の患者監視システム。
【請求項３】
該複数のポゴピンは、該モニタからの電力を該ポッドに伝送可能であり、該ポッド及び該モニタ間を通信可能にするよう構成されることを特徴とする請求項１に記載の患者監視システム。
【請求項４】
該ポッドは上端部と下端部とを有し、該ラッチ機構は該上端部に位置することを特徴とする請求項１に記載の患者監視システム。
【請求項５】
該ポッドは上端部と下端部とを有し、該ポッドを該モニタに結合するための少なくとも１つの該ガイドピンは、該下端部に位置することを特徴とする請求項１に記載の患者監視システム。
【請求項６】
該ポッドは、少なくとも２つのガイドピンを有することを特徴とする請求項１に記載の患者監視システム。
【請求項７】
該少なくとも２つのガイドピンは、それぞれの端部にボールスタッドを有することを特徴とする請求項６に記載の患者監視システム。
【請求項８】
該モニタは、接点を有するとともに該複数のポゴピンが接続可能な接触パッドを備え、
該接触パッドは、該接点での電圧のかかる領域を保護する凹部に配置されることを特徴とする請求項１に記載の患者監視システム。
【請求項９】
該ポッドは、押ボタンを有し、
該押ボタンの操作で該ラッチ機構を作動させることにより、該ポッドの該モニタへの接続および取外しを可能とすることを特徴とする請求項１に記載の患者監視システム。
【請求項１０】
該ポッドは２種類以上の気体の濃度を計測可能であることを特徴とする請求項１に記載の患者監視システム。
【発明の詳細な説明】
【相互参照】
【０００１】
本明細書は、２０１２年５月１５日に出願された米国仮特許出願第６１／６４７，３６１号を優先権主張の基礎とする。
【０００２】
また、本明細書は、２０１０年１１月１９日に出願された「デュアルシリアルバス（ＤＳＢ）インタフェースを備える患者監視システム」と題された米国仮特許出願第６１／４１５，７９９号を優先権主張の基礎とし、２０１１年１１月１８日に出願され同一題の米国特許出願第１３／３００，４６２号の一部継続出願である。両出願は、全て参照することにより本願明細書に取り込まれている。
【０００３】
また、２０１１年１１月１８日に出願され、「デュアルシリアルバスインタフェース」と題され、本発明の出願人に譲渡された同時係属米国特許出願第１３／３００，４７８号も、全て参照することにより本願明細書に取り込まれている。
【技術分野】
【０００４】
本明細書は、一般に、病院を拠点とする複数の患者監視システムに関する。特に、本明細書は、モニタ・ディスプレイアセンブリと、複数の任意の独立型ディスプレイと、複数の任意の独立型モニタと、１または複数のモジュールと、複数の患者パラメータを計測する複数の装置とを備える設定可能な患者監視システムに関する。
【背景技術】
【０００５】
患者監視システムは、医療用電子機器であって、患者の様々なバイタルサインを計測し、全ての計測値をデータとして収集して処理し、当該データを図形として及び／または数字として表示面上に表示する。図形データは、時間軸上のデータチャンネル（複数の波形）として連続的に表示される。複数の患者監視システムは、複数の病床付近に配置され、一般的には複数の重症管理室内に配置される。複数の患者監視システムは、患者に取り付けられた計測装置を介して継続的に患者の状態を監視し、病院職員によって見られることができる。いくつかの患者監視システムはローカル接続のディスプレイ上にのみ表示可能であって、その他の患者監視システムは、中央監視室やナースステーション等の他の複数の場所でデータを表示するように、ネットワークに接続可能である。
【０００６】
複数の携帯型患者監視システムは、救急医療班（EMS）の職員により使用可能である。これらのシステムは、一般的に、モニタを有する除細動器を備える。複数のホルターモニタ等の他の複数の携帯型ユニットは、特定の期間、複数の患者に身に着けられ、その後、計測及び収集データの評価のために医者に返却される。現在の複数の患者監視システムは、パルスオキシメトリ（ＳｐＯ２：経皮的動脈血酸素飽和度）、心電図（ｅｌｅｃｔｒｏｃａｒｄｉｏｇｒａｐｈ：ＥＣＧ）、観血式血圧（ｉｎｖａｓｉｖｅ  ｂｌｏｏｄ  ｐｒｅｓｓｕｒｅ：ＩＢＰ）、非観血式血圧（ｎｏｎ−ｉｎｖａｓｉｖｅ  ｂｌｏｏｄ  ｐｒｅｓｓｕｒｅ：ＮＩＢＰ）、脳波図（ｅｌｅｃｔｒｏｅｎｃｅｐｈａｌｏｇｒａｐｈ：ＥＥＧ）、体温、心拍出量、カプノグラフィ（Ｃ０２）、混合静脈血酸素飽和度（ＳｖＯ２）、バイスペクトラルインデックス（ｂｉｓｐｅｃｔｒａｌ  ｉｎｄｅｘ：ＢＩＳｘ）、及び、呼吸を含む様々なバイタルサインを計測・表示することができる。複数の患者監視システムは、脈拍数及び呼吸数等の最大・最小・平均の値及び周波数を計測・表示することができる。
【０００７】
収集されたデータは、固定有線接続または無線データ通信を介して、送信されることが可能である。複数の患者監視システムへの電力は、主電力線を介して、または、複数の電池によって、供給可能である。現在の複数の患者監視システムは、特定の欠点や制限がないわけではないが、患者の状態を監視し変化を医療従事者に通知することにおいて効果的である。
【０００８】
複数の患者監視システムは、一般的に、医療従事者に患者の状態が変化したことを通知するための音警報及び視覚警報を備える。複数の警報パラメータは、医療従事者により設定可能である。複数の可聴式ナースアラームは、多くの場合、音量が大き過ぎて、他の患者達や職員達の気を散らせることがある。眩しく点滅する複数の視覚的ナースアラームもまた、他の患者達の気を散らせることがある。逆に、より繊細な複数の視覚的ナースアラームは、監視システムディスプレイ上の視覚的擾乱によって、または、当該視覚アラームが当該ディスプレイ上の他の情報から十分識別されていないために、視覚化が困難となる場合がある。さらに、動作中の警報を停止することが看護師にとって困難な場合があり、患者へのケアが遅れる。一般的な警報制御のユーザインタフェースは、従来の押ボタン式または多くの場合タッチスクリーンやキーボードを介して操作される。
【発明の概要】
【発明が解決しようとする課題】
【０００９】
このため、複数の患者監視システム内にあって、可聴的警報及び視覚的警報の両方を看護師に容易に認識されるとともに患者達の邪魔にならないより良い警報機構が必要とされている。さらに、担当看護師が迅速に警報を停止でき患者の要求に集中することができる警報機構が必要とされている。
【課題を解決するための手段】
【００１０】
現在の複数の患者監視システムは、伝統的に、ディスプレイ、筐体、および、電子機器を有する統合型パッケージ内に積み込まれている。これにより柔軟性が制限され、個別の要求や利用可能空間に合わせて使用者が監視システムをカスタマイズすることを抑制する。よって、個々の構成要素が別々であってかつ様々な構成において接続可能となるモジュール式患者監視システムが必要とされる。詳細には、統合型ディスプレイを備えず、客または商業用の民生品（COTS）ディスプレイに接続可能なモニタが必要とされる。このような監視システムは、使用者達にディスプレイ及びモニタを最も効果的な方法で配置させることができる。これにより、患者の近辺の貴重な領域を自由に用いることができる。
【００１１】
本明細書は、ディスプレイと、モニタと、１または複数のモジュールと、少なくとも１つの患者パラメータ計測装置とを含む複数の非統合型構成要素を備える設定可能な患者監視システムを対象とする。様々な患者のパラメータは監視可能であって、当該複数のパラメータ計測装置は、複数のデュアルシリアルバス（ＤＳＢ）コネクタおよび複数のＤＳＢケーブルを介して、当該システムに接続されている。
【００１２】
一の実施の形態において、本明細書は複数の患者監視システムにおいて用いられる表示装置を対象とする。表示装置は、前面を有し筐体を規定するハウジングと、該ハウジングの前面部分に装着されるタッチスクリーンと、警報状態を判定する処理装置と、該タッチスクリーン内に設けられ該警報状態の間は該処理装置によって作動される複数の光源と、を備える。該筐体は、該ハウジングの右側に位置する第１開口と、該ハウジングの左側に第２開口を有する。該タッチスクリーンは平坦なガラスを有し、該平坦なガラスは中央表示領域と該ガラスの左右上下の縁に沿って延びる黒縁を有する。該複数の光源は、該黒縁を通過し、該第１開口及び第２開口を同時に通過する。
【００１３】
一の実施の形態において、該表示装置はさらに、該タッチスクリーンの該枠に沿った単一の突出したプログラム可能な電気容量性のボタンを備える。一の実施の形態において、該ボタンは、金属容量片（ｍｅｔａｌ  ｃａｐａｃｉｔｉｖｅ  ｐｉｅｃｅ）を備える。他の実施の形態において、該表示装置は、該警報光を制御するためにプログラムされた該タッチスクリーンの部分を有する。
【００１４】
一の実施の形態において、該複数の警報光は使用者によって設定可能であって、複数の警報光の最小レベルが定義される。該複数の警報光は、スクリーンに警報が現れるディスプレイおよび／または警報音響装置から独立して作動されてもよい。
【００１５】
一の実施の形態において、該表示装置の該黒縁は、該ガラスの背面にシルクスクリーンされている。他の実施の形態において、該表示装置の該黒縁はインクを備え、インクは、シルクスクリーンされる、または、該ガラスの背面上のマスクされた外縁領域上に散布される。他の実施の形態において、該表示装置の該黒縁は、連続的及び均一な外観を得るが、光を通過させる小さな開口部を含む。
【００１６】
一の実施の形態において、該黒縁を通過する光を出射する該複数の光源は、該第１開口及び第２開口を通過する光を出射する複数の光源と同一である。
【００１７】
一の実施の形態において、該黒縁を通過する光を出射する該複数の光源は、該第１開口及び第２開口を通過する光を出射する複数の光源とは異なる。
【００１８】
他の実施の形態において、複数の警報光は、該ディスプレイの上部を横切る１つのナース用の光として構成されている。付加的にまたは任意で、一の実施の形態において、どの角度およびどの位置からでも完全なナース用の光の視認性を提供するように、他のナース用警告光は背後に配置される。
【００１９】
他の実施の形態において、本明細書は、複数の外部装置と通信可能な少なくとも１の患者モニタと、少なくとも１つのデュアルシリアルバス（ＤＳＢ）インタフェースとを備える患者監視システムを対象とする。該患者モニタは、少なくとも１つのディスプレイに電気的に通信し該少なくとも１つのディスプレイを駆動する。該ディスプレイは、前部を有し筐体を規定するハウジングと、該ハウジングの前面部分に装着されるタッチスクリーンと、複数の患者のパラメータの計測を提供するための少なくとも１つのモジュールと、警報状態を判定する処理装置と、該タッチスクリーン内に設けられ該警報状態の間は該処理装置によって作動される複数の光源と、を有する。該筐体は、該ハウジングの右側に位置する第１開口と、該ハウジングの左側に位置する第２開口とを有する。該タッチスクリーンは平坦なガラスを有し、該平坦なガラスは中央表示領域と該ガラスの左右上下の縁に沿って延びる黒縁とを有する。該モジュールは該患者モニタと電気的に通信し、該モジュールは少なくとも１つの患者パラメータ計測装置と電気的に通信するための少なくとも１つのインタフェースを有する。該複数の光源は、該黒縁を通過し、該第１開口及び第２開口を同時に通過する。該少なくとも１つのデュアルシリアルバスインタフェースは、該患者モニタ、モジュール、および／または、患者パラメータ計測装置間の電気的通信を可能にする。
【００２０】
本明細書は、また、複数の外部装置と通信可能な少なくとも１つの患者モニタと、デュアルシリアルバス（ＤＳＢ）インタフェースとを備える患者監視システムを対象とする。該患者モニタは、少なくとも１つのディスプレイに電気的に通信し該少なくとも１つのディスプレイを駆動する。該ディスプレイは、前部及び後部を有するハウジングと、該ハウジングの該前部に装着されるタッチスクリーンと、複数の患者のパラメータの計測を提供するための少なくとも１つのモジュールと、警報状態を判定する処理装置と、該タッチスクリーン内に設けられ該警報状態の間は該処理装置によって作動される複数の光源と、を有する。該タッチスクリーンは平坦なガラスを有し、該平坦なガラスは中央表示領域と該ガラスの左右上下の縁に沿って延びる黒縁を有する。該モニタは、該ディスプレイの該後部に固定的に取付けられる。該モジュールは該患者モニタと電気的に通信し、該モジュールは少なくとも１つの患者パラメータ計測装置と電気的に通信するための少なくとも１つのインタフェースを有する。該複数の光源は、該黒縁を通過する。該少なくとも１つのデュアルシリアルバスインタフェースは、該患者モニタ、モジュール、および／または、患者パラメータ計測装置間の電気的通信を可能にする。
【００２１】
一の実施の形態において、該少なくとも１つの光源は、該表示装置の該前面の該上縁に近接して配置されている。一の実施の形態において、該タッチスクリーンは、警報の音量レベルを制御するための該光源に対応する領域を有する。一の実施の形態において、該領域は、該音量レベルを下げるための第１部分と該音量レベルを上げるための第２部分とを有する。
【００２２】
一の実施の形態において、少なくとも１つの光源は、該ディスプレイの該背面上に配置される。
【００２３】
一の実施の形態において、該少なくとも１つの患者モニタは、複数の制御基板を装着するための取外し可能な内部シャーシを備える。
【００２４】
一の実施の形態において、該少なくとも１つの患者モニタは、該患者モニタに取り付けられるハンドルを備える。該ハンドルは、さらに、上位置、下位置、及び、該ハンドルを使って該患者モニタが運ばれるときに床に対して直交する該患者モニタのバランスをとるための設定点を有し、該ハンドルが該上位置から解放されたときに該ハンドルの下降運動を妨害するダンパを有する。
【００２５】
一の実施の形態において、該少なくとも１つの患者モニタは、複数のリチウムイオン電池と、該複数の電池の充電状態、放電状態、及び、過熱状態を監視するマイクロコンピュータを備える。一の実施の形態において、該少なくとも１つの患者モニタは、ＥＣＧ、ＮＩＢＰを１５分おきに監視し１５分おきに記録をとりながら、バッテリ電源で８時間動作可能である。
【００２６】
一の実施の形態において、該少なくとも１つの患者モニタは、Ｓａｂｉｃ  Ｌｅｘａｎ  ＥＸＬプラスチック製のハウジングを有する。一の実施の形態において、該少なくとも１つの患者モニタの重量は４．０８キログラム（９ポンド）よりも小さい。
【００２７】
また、本明細書は、患者監視システムの監視表示装置を受ける受け面を有するドッキングステーションを対象とする。該監視表示装置は、第１コネクタおよびデジタル情報及び電力の伝送のための複数のモニタレセプタクルを有している。該ドッキングステーションは、複数の第２のレセプタクルと、該ドッキングステーションの該受け面上に配置され該監視表示装置の第１コネクタと結合するための第２コネクタと、該デジタル情報及び電力の伝送を制御するための回路基板と、該監視表示装置の底部の外形と合う成型された凹部と、該監視表示装置を所定の位置に確実に保持するための少なくとも１つのラッチ機構と、該監視表示装置を該ドッキングステーションから取り外すために該ラッチ機構を解放する解除ボタンとを備える。該監視表示装置が該ラッチ機構を介して該ドッキングステーションにしっかりと装着されたとき、該第１コネクタは該第２コネクタと電気的通信を行う。また、該回路基板は、該第１及び第２コネクタを介して、該デジタル情報及び電力の送信を該複数の第１のレセプタクルから該複数の第２のレセプタクルへ伝送する。
【００２８】
一の実施の形態において、該複数の第２のレセプタクルは、イーサネット通信、イーサネットディスプレイ用のＤＶＩ、ＵＳＢ、複数のシリアルポート、外部ナースアラート／外部音響装置／ＩＲ受信機、電力及びＳＤＬＣ（同期データリンク制御）ポートを備える。
【００２９】
一の実施の形態において、該ドッキングステーションは、該監視表示装置が該ドッキングステーションにドッキングされたとき、該監視表示装置の該複数の第１のレセプタクルを覆う。
【００３０】
一の実施の形態において、該監視表示装置はさらに複数の第１の通気口を有し、該ドッキングステーションはさらに複数の第２の通気口を有する。該監視表示装置が該ドッキングステーションに装着されたとき、該複数の第１の通気口及び該複数の第２の通気口は整列している。
【００３１】
一の実施の形態において、該成型された凹部はさらに、該監視表示装置の位置を該ドッキングステーション内に案内するために、ドッキング中に該監視表示装置を位置へ案内する外向きの斜面と、該監視表示装置の少なくとも１つの対応する開口にぴったり嵌合する少なくとも１つのピンとを備える。
【００３２】
一の実施の形態において、該ドッキングステーションは、該監視表示装置の位置を該ドッキングステーション内に案内するために、該監視表示装置の少なくとも１つの対応する開口に嵌合する少なくとも１つのピンをさらに備える。
【００３３】
一の実施の形態において、該監視表示装置が該ドッキングステーションにドッキングされるときに、該解除ボタンは後方から照らし出される。
【００３４】
本明細書は、また、患者監視システムのモニタが取付けられる外部装着ポッドを対象とする。該ポッドは、該モニタの複数のコネクタに接続するための複数のポゴピンと、該ポッドを該モニタに結合するための少なくとも１つのガイドピンと、該ポッドを該モニタから接続するためおよび取外すためのラッチ機構と、該ラッチ機構を駆動するためのボタンと、該ポッドの側面に設けられた複数のレセプタクルとを備える。
【００３５】
一の実施の形態において、該ポッドは、側流カプノグラフィまたはマルチガスのポッドである。
【００３６】
一の実施の形態において、該複数のポゴピンは、該モニタからの電力を該ポッドに受取らせ、該ポッド及び該モニタ間を通信可能にする。
【００３７】
一の実施の形態において、該複数のレセプタクルは、複数の給気口および複数の排気口を有する。
【００３８】
本発明の上述及び他の実施の形態は、図面及び下記の詳細な説明により詳細に記載される。
【００３９】
これらのまたは他の本明細書の目的及び利点は、参照符号付きの複数の図面と合わせて下記の詳細な説明を読めば、該詳細な説明から十分に明らかになるだろう。該複数の図面は対応部分を以下の通り示す。
【図面の簡単な説明】
【００４０】
【図１】本明細書の患者監視システムの複数の構成要素の構成が一例である一の実施の形態を示すブロック図であって、複数のデュアルシリアルバス（ＤＳＢ）ケーブルが患者パラメータ計測装置と該モニタとを接続するのに使用される状態を示す図。
【図２Ａ】患者監視システムのモニタ・ディスプレイアセンブリの一の実施の形態を示す側面斜視図。
【図２Ｂ】モニタ・ディスプレイアセンブリの該モニタ及びディスプレイの一部の一の実施の形態を示す側面斜視図であって、再充電可能な電池が該モニタから一部取り外されている状態を示す図。
【図２Ｃ】ハンドルが上位置にあるときのモニタ・ディスプレイアセンブリの一の実施の形態を示す側面図。
【図２Ｄ】モニタ・ディスプレイアセンブリの一の実施の形態を示す背面図であって、複数のレセプタクルを示す図。
【図３】該患者監視システムの該モニタ・ディスプレイアセンブリの一の実施の形態を示す正面図であって、該ディスプレイの前部の赤い警報光を示す図。
【図４】取外し可能な内部シャーシに装着される複数の回路基板を有するモニタ・ディスプレイアセンブリの一の実施の形態を示す内部斜視図。
【図５】迅速なマウント解除の一の実施の形態を示す前方斜視図。
【図６】患者監視システムの例示的なコマンドモジュールの一の実施の形態を示す前方斜視図。
【図７Ａ】患者監視システムのドッキングステーションの一の実施の形態を示す前方斜視図。
【図７Ｂ】患者監視システムのドッキングステーションの一の実施の形態を示す側面図。
【図７Ｃ】ドッキングステーションにドッキングされた患者監視システムの  モニタ・ディスプレイアセンブリを示す背面図。
【図８】例示的なドッキングステーションプリント板ユニット（PCBA）を示すブロック図。
【図９Ａ】患者監視システムの側流カプノグラフィまたはマルチガスポッドの一の実施の形態を示す側面斜視図。
【図９Ｂ】側流カプノグラフィまたはマルチガスポッドが取り付けられた状態の、患者監視システムのモニタ・ディスプレイアセンブリの一の実施の形態を示す後方斜視図。
【図１０】患者監視システムのモニタ・ディスプレイアセンブリの一の実施の形態を示す背面斜視図であって、ドッキングステーションにドッキングされたモニタ・ディスプレイアセンブリと、取付けられた側流カプノグラフィまたはマルチガスポッドを示す図。
【発明を実施するための形態】
【００４１】
一の実施の形態において、本明細書は、ディスプレイ・モニタアセンブリと、複数の任意の追加独立型ディスプレイと、複数の任意の独立型モニタと、１または複数のモジュールと、少なくとも１つの患者パラメータ計測装置とを含む複数の非統合型構成要素を備える設定可能な患者監視システムを対象とする。様々な患者のパラメータは監視可能であって、該複数のパラメータ計測装置は、複数のデュアルシリアルバス（ＤＳＢ）コネクタおよび複数のＤＳＢケーブルを介して、当該システムに接続されている。
【００４２】
該ＤＳＢインタフェースは、Ｕｎｉｖｅｒｓａｌ  Ｓｅｒｉａｌ  Ｂｕｓ  （ＵＳＢ）、ファイヤワイヤ、またはイーサネットプロトコルである第１シリアルプロトコルと、Ｌｏｗ  Ｐｏｗｅｒ  Ｓｅｒｉａｌ  （ＬＰＳ）プロトコルである第２シリアルプロトコルとを有する。該ＤＳＢインタフェースは、該ＵＳＢプロトコルを介して５Ｖを、または、該ＬＰＳプロトコルを介して３.３Ｖを接続された複数の装置に供給し、該システム内の配電を管理する。該ＤＳＢインタフェース内において、該患者監視システムの各構成要素は、ＤＳＢホスト、ＤＳＢ装置、または、ＤＳＢホスト及びＤＳＢ装置の両方のいずれかである。ＤＳＢホストは接続されたＤＳＢ装置と通信し、動作及び電池充電電力を供給できる。さらに、ＤＳＢホストは、切替補助電圧供給（ｓｗｉｔｃｈｅｄ  Ａｕｘｉｌｉａｒｙ  Ｖｏｌｔａｇｅ  Ｓｕｐｐｌｙ、ＡＶＳ）を有する。切替補助電圧供給は、電池充電または他の高出力が必要な場合のために、取り付けられた複数のＤＳＢ装置に１５Ｗの電力を与えることができる。該ＤＳＢホストは、該取り付けられた複数の装置の電力要を認識し、それに従って電源供給を切り替える。ＤＳＢインタフェースは、２０１１年１１月１８日に出願され、「デュアルシリアルバスインタフェース」と題され、本願の出願人に譲渡された同時係属米国特許出願番号第１３/３００，４７８に詳細に示されている。該同時継続出願は、参照して本願に取り込まれている。
【００４３】
モニタ・ディスプレイアセンブリ
一の実施の形態において、該患者監視システムは、統合されたモニタ・ディスプレイアセンブリを備える。該統合されたモニタ・ディスプレイアセンブリにおいて、該モニタは該ディスプレイの後部に対して移動不能にしっかりと固定され、該ディスプレイは該モニタによって駆動される。
【００４４】
一の実施の形態において、該モニタは、該複数のモジュールとインタフェース接続され、複数の外部機器との通信を可能にする。該モニタは、ＣＰＵタワーと同様であって、パラメータモジュールと複数の記録装置とのドッキングを行う。一の実施の形態において、該モニタは、専有スペースラブモジュールのために電力及び通信を提供する１つのベイを有する。一の実施の形態において、該モニタは、現在のモジュール及び旧式のモジュールの両方と、複数のフロントエンドデバイス（ＦＥＤ）型患者パラメータケーブルとをサポート可能である。一の実施の形態において、該モニタは、複数の装置とインタフェース通信するための４つのＵＳＢポートを備える。該複数の装置としては、これに限定されないが、複数のキーボード、マウス、複数のバーコードスキャナ、複数のサムドライブが含まれる。２０１１年１１月１８日に出願され、「自給式患者モニタ」と題され、本発明の出願人に譲渡され、参照により本願に含まれている同時係属米国特許出願番号１３／３００，５２６に記載の患者装用式のハブ（ＰＷＨ）や小さな携帯用自給式モニタもまた接続されることができる。該ＰＷＨは該モニタとの無線通信も可能である。これらの状況では、該モニタは該ＤＳＢホストとして動作し、該ＰＷＨは該ＤＳＢ装置である。
【００４５】
さらに、複数のサードパーティの装置は、該サードパーティの装置の出力を該ＤＳＢコネクタ内に組込まれたプロトコルに変換するデバイスインタフェースケーブルを介して、該モニタに接続可能である。該デバイスインタフェースケーブルは、一端にはＤＳＢコネクタを、他端には該ホストと該サードパーティとがインタフェース通信可能とするケーブルコネクタをそれぞれ有する。該デバイスインタフェースケーブルと該ＰＷＨとは、直前に参照した上述の出願により詳細に記載されている。
【００４６】
一の実施の形態において、該モニタは、独立した外付けディスプレイと接続するためのＤＶＩポートを有する。該モニタはさらに、他の複数のモニタ及び病院のインフラ設備と通信するためのイーサネットポートを有する。
【００４７】
一の実施の形態において、該モニタは、外部のナースアラート用の警報リレー出力を備える。このポートは、上述したように外部のディスプレイと通信するために使用される。一の実施の形態において、１つのポートは、該複数の警報光を作動する信号及び警報音の両方を伝達するために用いられる。これにより、２つの個別のケーブルと２つの個別のポートが不要となる。一の実施の形態において、該モニタは、独立型（ディスプレイ内にない）外部ナースアラートとともに使用されるさらなるナースアラートポートを備える。該モニタは、複数の拡張モジュールベイと通信するための同期データリンク制御（ＳＤＬＣ）ポートも備える。該ＳＤＬＣポートは、１つの装置を介して、使用者達に複数のモジュールを使用させることができる。一の実施の形態において、該モニタは、タッチスクリーン通信、ソフトウェアアップデート、および、データロギング用のシリアルポートを有する。一の実施の形態において、電力は、直流電源入力を介して、モニタ・ディスプレイアセンブリに供給される。一の実施の形態において、該モニタ・ディスプレイアセンブリは、該モニタを設置する等電位端子を備える。該モニタ・ディスプレイアセンブリはまた、停電の際に用いられ、複数の外部ナースアラート及び該赤外線（ＩＲ）受信機に電力供給する、モジュールデータバックアップ用の再充電可能な電池を備える。
【００４８】
一の実施の形態において、該モニタは、長い電池寿命及び安全性を提供するために、複数の「高性能の」リチウムイオン電池を利用する。該設計は、互換性がない複数の電池の挿入を締め出すカスタム形式を提供する。複数の組込マイクロコントローラは、充電状態、放電状態、および、超温度状態を監視する。複数の熱電流ヒューズもまた、余剰の安全機能として設けられている。ある実施の形態では、再充電可能なリチウムイオン電池と電池管理モジュールとを有するＩｎｓｐｉｒｅｄ  Ｅｎｅｒｇｙ社のＮＩ２０４０ＨＤ２４スマートバッテリーを用いる。該電池は、１８６５０サイズであって、３シリーズ３パラレル（３Ｓ３Ｐ）構造に組まれた９つのリチウムイオン再充電可能セルから成る。各セルは３．６Ｖの平均電圧と２．４Ａｈの代表的な容量を有し、１０．８Ｖ及び７．２Ａｈの電池パックとなる。電池は、システム管理バス（ＳＭＢｕｓ）を介して、ホストまたは充電器と通信可能である。過充電、過放電、及び、短絡回路のため、保護手段が設けられている。冗長性のため、過電流及び過温度から保護する複数のパッシブセーフティ装置は該箱の中に統合されている。二次的な過電圧は、ロジックヒューズ及びコントローラにより行われる。
【００４９】
一の実施の形態において、該モニタは、ＥＣＧ、ＮＩＢＰを１５分おきに監視し１５分おきに記録をとりながら、バッテリ電源で８時間動作可能である。
【００５０】
一の実施の形態において、該モニタは、Ｄｙｎａｍｉｃ  Ｎｅｔｗｏｒｋ  Ａｃｃｅｓｓ（ＤＮＡ）を活用し、研究所、薬局、カルテ記入、イントラネット、および、病院情報システム（ＨＩＳ）アプリケーションをベッドサイドまで持ち運ぶ。医療従事者は、該モニタ上で実行されるシトリックスシンクライアントアプリケーション（Ｃｉｔｒｉｘ  ｔｈｉｎ  ｃｌｉｅｎｔ  ａｐｐｌｉｃａｔｉｏｎ）を用いて、この情報にアクセス可能である。これは、シトリックスサーバに対して、該複数のモニタにとって役立つよう該アプリケーションをホストするよう要求する。看護師達及び医師達は、患者治療区域から離れることなく、多数のソースからの情報を確認することができる。簡潔な及び完全な複数の電気的な患者の記録は、難なく生成される。一の実施の形態において、該モニタは、高速でエラーのない患者情報の識別及び移動をサポートするデータシャッフル及びバーコードスキャナを備えている。該ＤＮＡを選択することにより、ネットワークを介してすぐに患者の情報にアクセスすることができる。これにより、最適な患者の安全性を確保することができると同時に、介護者の効率性を最大化することができる。一の実施の形態において、特別な特徴であるフルベッドレビュー（Ｆｕｌｌ  Ｂｅｄ  Ｒｅｖｉｅｗ）は、看護師や医師に、患者のベッドサイドから離れることなく、ネットワーク化された他のまたはテレメトリのベッドのための患者のデータを離れた場所で視認し、制御し、確認し、記録する能力を与える。一の実施の形態において、特別な特徴であるリモートビュー／アラーム付時計により、該介護者は、どのベッドサイドからでも、ネットワーク上において監視しているどの患者のどのパラメータでも見ることができる。警報状態中、波形または数値データは後の検討のために保存され記憶されてもよい。一の実施の形態において、特別な特徴であるアラームリミットのレビュー（Ａｌａｒｍ  Ｌｉｍｉｔ  Ｒｅｖｉｅｗ）は、全作動パラメータの複数のベッドサイドアラームリミットのスナップ写真の図を、見るためまたは印刷するために、該介護者に提供する。一の実施の形態において、特別な特徴であるＩＣＳ臨床兆候インタフェース（ＩＣＳ  Ｃｌｉｎｉｃａｌ  Ｅｖｅｎｔ  Ｉｎｔｅｒｆａｃｅ）は、即座に視認し応答時間をより早くするために、複数の警報及び波形を複数の個人用通信装置へすぐに送信する。一の実施の形態において、フレックスポートインタフェースは、複数の独立型装置から患者データにリンクし、複数の波形、データ、および、複数の警報を該モニタ内に集約する。情報は、その後ＨＩＳアプリケーション及びＣＩＳアプリケーションの出力の該モニタ傾向に直接統合される。
【００５１】
一の実施の形態において、モニタ・ディスプレイアセンブリは、下記のようにカプノグラフィまたはマルチガスポッドを追加するためのポッド接続ポートを備える。
【００５２】
一の実施の形態において、該モニタの複数の回路基板は全て取り外し可能な内部シャーシ上に装着される。該シャーシは、該モニタが完全に機能を維持した状態のままで、該筐体から取外すことが可能である。各回路基板は、個別的にアクセス可能である。これにより、サービススタッフは、該モニタを完全に分解することなく、容易に全ての回路基板／構成要素を修理し、基板／構成要素と交換することができる。
【００５３】
一の実施の形態において、該モニタ・ディスプレイアセンブリは、該モニタの複数の機能を拡張するためのプリンタスロットを備える。一の実施の形態において、該プリンタは５０ｍｍの用紙に対応する。
【００５４】
一の実施の形態において、該モニタ・ディスプレイアセンブリは、上位置から下位置に回転可能なハンドルを備える。ハンドルが解放され、または、手が離されたとき、それは徐々にデフォルトの下位置に向かって落下する。一の実施の形態において、回転ダンパは該ハンドルの（その上位置から解放された）下降動作を抑制し、該ハンドルがモニタ・ディスプレイアセンブリに叩きつけられない。これにより、患者達の気を散らせることなく、ハンドル及びモニタ・ディスプレイアセンブリは静かに使用されることができる。一の実施の形態によれば、該ハンドルはまた、該ハンドルを用いて該モニタ・ディスプレイアセンブリを運搬する際に床に対して直交する該ディスプレイのバランスをとることのできる所定の設定点において、停止する機能性を有する。この機能性によれば、該モニタ・ディスプレイアセンブリが使用者の脚の邪魔にならず、腕や手に厄介な力がかかったりすることがないので、該ハンドルを用いて該モニタ・ディスプレイアセンブリを持ち歩くことがとても容易になる。
【００５５】
一の実施の形態において、該モニタ・ディスプレイアセンブリが故意でない落下、化学的な洗浄、および、過度の熱に耐えられるように、モニタ・ディスプレイアセンブリのハウジングにはＳａｂｉｃ  Ｌｅｘａｎ  ＥＸＬ  プラスチックが使用される。一の実施の形態において、該モニタ・ディスプレイアセンブリは４．０８キログラム（９ポンド）より小さい重量を有する。
【００５６】
一の実施の形態において、該ディスプレイは、３０．７センチメートル（１２．１インチ）のタッチスクリーンを有し、最大８つの波形を描くことができる。一の実施の形態において、該モニタ・ディスプレイアセンブリは可聴警報のための複数のスピーカを有する。
【００５７】
一の実施の形態において、該外付けディスプレイは、モニタ・ディスプレイアセンブリの前部及び後部に位置する複数の統合型視覚警報灯を有する。これらの警報灯は、現在の複数の視覚的警報よりも大きく、警報状況中に医療従事者によりよい可視指標を提供することができる。一の実施の形態において、該警報灯は、それぞれ優先度が高、中、低の警報であることを示す赤、黄色、シアンに点滅する。該警報灯は、使用者によって設定可能であって、スクリーン上の警報表示および／または警報音から独立して起動することができる複数の警報光の最小レベルを定義する。連続的で平坦なガラスは、該ディスプレイの前全体を占めており、構造的安定性の観点から、該ディスプレイの複数の外側面に巻かれた金属帯を枠として設定している。該ガラスは、ベゼルを有しておらず、タッチスクリーン及びレンズ、及び、視覚的警報のたえの光分散手段として兼用されている。これにより、部品点数を少なくすることができる。該平坦なタッチスクリーンガラスは前面に連続的な面を有している。これにより、一般的なベゼル実装にあるような複数の縁がないので、容易に清掃ができる。一般的なベゼル実装では、汚染物質が堆積するような隙間を有する。一の実施の形態において、該金属帯はわずかに該タッチスクリーンから飛び出すように延びているので、その前面に落下した場合であっても、該ガラスを保護することができる。それは、平坦な複数のベゼルタッチスクリーンを有する該金属帯／枠により該モニタ・ディスプレイアセンブリに同時期の関心を寄せることは、通常の知識を有する当業者から高い評価を得るに違いない。換言すれば、該モニタ・ディスプレイアセンブリは、フラットスクリーンテレビや携帯電話等の家庭用電化製品と同種の傾向がある。これは、該ディスプレイは家電製品にとても似ており使いやすく見えるので、患者や患者の家族が楽に環境に慣れることに役立つ。該モニタ・ディスプレイアセンブリを工業用に見えにくくより使いやすく親しみやすくするための該設計の一部として、該モニタ・ディスプレイアセンブリはソフトの複数の縁を有する。
【００５８】
該ガラスの後ろにある光源は、警報を示すために、適切な複数の波長の光を送信する。一の実施の形態において、黒縁は、該ガラスの背面であって外周付近をシルクスクリーンされている。一の実施の形態において、該黒縁はインクを備え、インクは、シルクスクリーンされる、または、該ガラスの背面上のマスクされた外縁領域上に散布される。該外縁領域は、連続的及び均一な該黒縁の外観をもたらすが、該警報が作動するときには光を通過させるので、視覚的な警報が生じる。
【００５９】
他の実施の形態において、該視覚的警報のために用いられる該縁領域は、該縁が連続的及び均一に見えるが光を通過させる小さな開口部を有する。これにより、実際に警報が起こるまでは、警報の指示が表示されず、きれいで、平坦で、モダンな外観を得る。
【００６０】
一の実施の形態において、該ディスプレイの点滅率や警報音の音を含む該複数のナースアラーム信号は、該モニタにより駆動され制御される。
【００６１】
一の実施の形態において、該外付けディスプレイは、周囲の明るさレベルを検知し、それにより該ディスプレイの明るさを調整する周辺光センサを有する。暗いまたは薄暗い環境において、該周辺光センサは自動的に該ディスプレイ及び複数の警報光の光量を落とすであろう。これは、患者が眠っている場合に特に有益である。光量を落とした複数の光は、該患者の邪魔になる可能性を低くすることができるであろう。比較的明るいまたは明るい環境において、該周辺光センサは自動的に該ディスプレイの光量を上げるであろう。この特徴は、該ディスプレイのボタンによって、停止することができる。
【００６２】
一の実施の形態において、該外付けディスプレイは、該タッチスクリーンの該前部に容量性のボタンを備える。該タッチスクリーンは、様々な機能を実行するために該使用者によってプログラムすることができる。様々な実施の形態において、該ボタンは、金属板または他の導電材料でって、  通常使用される接触及び／又は押圧感知技術を使用する。該ボタンは、簡単にアクセス可能となるように、小さいタッチスクリーンのボタンと比較して大きく目立つように配置される。一の実施の形態において、該ボタンは該ディスプレイの前部の上端に位置している。他の実施の形態において、該ボタンは該ディスプレイの下端に位置している。別の実施の形態において、該ボタンは、該ディスプレイの左端に配置される。別の実施の形態において、該ボタンは、該ディスプレイの右端に配置される。さらに、該ボタンは他の複数のボタンやユーザインタフェースの複数の項目の擾乱によって曖昧にならないので、該ボタンを見つけることが容易である。操作者が該ボタンに触れたときに該モニタの回路は感知し、該モニタはプログラムされた機能を実行する。
【００６３】
一の実施の形態において、該ボタンは、接触されたときに警報を止めるようにプログラムされている。これにより、医療従事者は素早く警報を停止し、複数の警報表示を再設定することができる。よって、医療従事者達は患者の要求に気を配ることができ、かつ、該領域において他の患者達にとっての騒乱を防止することができる。複数の警報は危機的状況に応じて生成されるので、該複数の警報を停止する及び／または再設定する手段を見つけて素早く起動することが容易であることは重要である。他の実施の形態において、該ボタンは、接触されたときに患者を認めるようプログラムされている。他の実施の形態において、該ボタンは、接触されたときにＮＩＢＰ計測を開始するようプログラムされている。他の実施の形態によれば、該ボタンは、接触されたときに該ディスプレイをそのホーム画面に戻すようプログラムされている。さらに別の実施の形態によれば、該ボタンは、接触されたときに、該ディスプレイを印刷するようプログラムされている。警報を停止するために看護師に求められる動作を単純化するため、該ボタンは、主として、警報を一時停止するためにプログラムされるであろう。しかしながら、当業者は、上述に限らず様々な機能を実行するように該ボタンがプログラムされることを理解するであろう。
【００６４】
他の実施尾の形態において、該ディスプレイは、該警報光を制御するためにプログラムされたタッチスクリーンの部分を有する。
【００６５】
一の実施の形態において、該外付けディスプレイは、中心から離れた位置に、電源記号と共に後ろから照らされる電源ボタンを備える。該電源記号は、該モニタ・ディスプレイアセンブリがオンに切換えられたときに緑となる。
【００６６】
該ディスプレイは、金属帯内に収容され、粉体塗装仕上げされている。該モニタ・ディスプレイアセンブリの後部は、標準７５ｍｍのＶｉｄｅｏ  Ｅｌｅｃｔｒｏｎｉｃｓ  Ｓｔａｎｄａｒｄｓ  Ａｓｓｏｃｉａｔｉｏｎ（ＶＥＳＡ）の複数のマウント用の、マウントパターンを有する。
【００６７】
外付けディスプレイ及び複数の警報指示
一の実施の形態において、２０１０年１１月１９日に出願され、「デュアルシリアルバス（ＤＳＢ）インタフェースを有する患者監視システム」と題された米国仮特許出願番号６１／４１５，７９９を優先権主張の基礎とし、２０１１年１１月１８日に出願され、「設定可能な患者監視システム」と題され、本発明の出願人に譲渡された米国特許出願番号第１３／３００，４６２号に記載されるように、該患者監視システムは１または複数の任意の独立型ディスプレイを備える。なお、両出願の全ては参照により本願に組込まれている。
【００６８】
モニタ
一の実施の形態において、２０１０年１１月１９日に出願され、「デュアルシリアルバス（ＤＳＢ）インタフェースを有する患者監視システム」と題された米国仮特許出願番号６１／４１５，７９９を優先権主張の基礎とし、２０１１年１１月１８日に出願され、「設定可能な患者監視システム」と題され、本発明の出願人に譲渡された米国特許出願番号第１３／３００，４６２号に記載されるように、該患者監視システムは１または複数の任意の独立型モニタを備える。なお、両出願の全ては参照により本願に組込まれている。
【００６９】
ドッキングステーション
一の実施の形態において、該モニタ・ディスプレイアセンブリは、ドッキングステーションを用いた携帯性において効果がある。ドッキングステーションは、搬送／緊急状態用の患者の監視を維持したまま、迅速な１つのボタンを押下による該モニタ・ディスプレイアセンブリからのドッキング解除を行う。該ドッキングステーションは、電源、イーサネット、外付けディスプレイ、および、他の複数の外部患者パラメータ計測装置からの接続および切断に関し、該モニタ・ディスプレイアセンブリの使用の柔軟性及び容易さを有する。一の実施の形態において、イーサネット接続、外付けディスプレイのためのＤＶＩ、ＵＳＢ、複数のシリアルポート、外部ナースアラート、外部音響装置、ＩＲ受信機、電源及びＳＤＬＣ（同期データリンク制御）ポート等の複数のレセプタクルは、該ドッキングステーションに複製されている。また、該ドッキングステーションは、しばしば制限され他の医療機器が散らかった空間となる病院環境において、該患者監視システムの大きな携帯性を得るという効果がある。本発明の一の実施の形態において、該モニタ・ディスプレイアセンブリがドッキングしたときもしないときも、複数の患者用ケーブルは常に該患者に取りつけられている。つまり、該複数のケーブルは、該患者または該モニタ・ディスプレイアセンブリから取り外す必要がなく、該患者に接続されたままである。そのため、該患者は連続的にモニタされることができる。
【００７０】
一の実施の形態において、全ての外部信号は、該モニタ・ディスプレイアセンブリの下部にも位置し、該ドッキングステーションの上部のコネクタと接続する１つのドッキングコネクタに送られる。これらの信号は、該モニタ・ディスプレイアセンブリがドッキングされたときにはアクティブに切換え、ドッキングされなかったときには非アクティブのままにし、該モニタ・ディスプレイアセンブリがドッキングされていないときには、接続された複数のコネクタピンに電圧をかけない（ドッキングされていない状態において該複数のコネクタピンが露出していたときに、使用者達が偶然の電気ショックを受けることを防止するため）。
【００７１】
一の実施の形態において、該モニタ・ディスプレイアセンブリと共に使用される同一の外壁、ロールスタンド、及び、固定された複数のマウントが該ドッキングステーションと連携するように、該ドッキングステーションは、構造的に、標準４ホールＶＥＳＡ重複マウントパターンで成形されている。一の実施の形態において、該ドッキングステーションの後部における成形された特徴は、ドッキングする際に、該モニタ・ディスプレイアセンブリの後部の複数のレセプタクル／ポートを覆うように設計されている。これにより、該複数のレセプタクルは、２度以上接続されることを抑制されている。該成形された特徴は、また、下部に設けられた該複数のモニタ・ディスプレイアセンブリ給気口を下部に設けられ、ドッキング時に遮られないままにする通気を有する。
【００７２】
一の実施の形態において、該ドッキングステーションは、該モニタ・ディスプレイアセンブリの下部周辺の外形に合う外周縁の周辺に位置する成型凹部を有する。この該ドックにおける成型凹部は、外方向に僅かな傾斜を有する。該傾斜は、該モニタ・ディスプレイアセンブリを第１粗調整としての位置に案内するのに役立つ。一の実施の形態において、該モニタ・ディスプレイアセンブリをさらに配置すると、２つの大きなドーム型のガイドピンが該ドック内に嵌合し、該モニタ・ディスプレイアセンブリを正確に配置する。これにより、該モニタ・ディスプレイアセンブリ及びドッキングステーションの複数のコネクタは円滑に接続される。
【００７３】
一の実施の形態において、該ドッキングステーションは、前部に突出したボタンを有する。該突出したボタンは、ラッチを解除し、該モニタ・ディスプレイアセンブリのドッキング解除に使用される。一の実施の形態において、該ドッキングステーションボタンは、該モニタ・ディスプレイアセンブリがドッキングしたときにバックライトがつくので、暗い部屋の中でもその位置が容易に認識できる。
【００７４】
モジュール
本発明の患者監視システムは、また、複数の患者パラメータの測定を行うモジュールを有する。多くのモジュールのタイプが存在し、これらは複数の患者パラメータの要求に応じて使用可能である。
【００７５】
一の実施の形態において、該患者監視システムはコマンドモジュールを備える。該コマンドモジュールは、成人及び新生児両方のＮＩＢＰ、ＩＢＰ、ＥＣＧ、ＳｐＯ２、心拍量、及び温度を計測可能であって、手動でＮＩＢＰ計測を無効にするための停止ボタンを備える。該コマンドモジュールは、同期データリンク制御（SDLC）バスを介して、該患者モニタと通信し電力を得る。さらに、該コマンドモジュールは内部メモリを有する。該内部メモリによって、該モジュールを、搬送中に患者に装着され、データロスなく別体のモニタ・ディスプレイアセンブリまたは独立型モニタに接続される。一の実施の形態において、該コマンドモジュールは、該患者監視システムのコアであって、基本的な生理学的パラメータの全てを処理する能力を提供する。介護者達は、病院内における特定の患者達や治療室の要求のモニタリングに適するように、様々な構成から選択できる。他の実施の形態において、該コマンドモジュールは、計測及び解釈付きのまたは無しの１２誘導ＥＣＧ診断解析・報告と同様に、３レベルの不整脈モニタリング（基本、標準多視点、詳細多視点）を有する。さらに、該コマンドモジュールは、また、ＳＴセグメント解析及び事象の確認、または、新生児の呼吸、心拍数、ＳｐＯ２の事象確認のためのＶａｒｉｔｒｅｎｄ  ４を有する。
【００７６】
一の実施の形態において、該患者監視システムは、大人、子供、もしくは幼児の患者の呼吸状態の評価を補助するために、呼気終末の二酸化炭素、最小吸気二酸化炭素、及び呼吸速度を計測するカプノグラフィモジュールを備える。該モジュールは、自動的に周囲気圧を相殺するので、定期キャリブレーションは要求されない。一の実施の形態において、該カプノグラフィモジュールは、主流モニタリングモード及び側流モニタリングモードを単一のユニットに組合わせるという点において、柔軟である。側流モニタリングは、比較的小さな患者の理想値である５０ｍｌ/ｍｉｎという低サンプリングレートを有する。さらに、該カプノグラフィモジュールは、波形データ、複数の数値（ｋＰａ、ｍｍ、Ｈｇ、または、％）、複数の最小吸気二酸化炭素値、および、複数の気道の呼吸率を該使用者に与えることができる。このデータは、さらに、表示され、複数の傾向に組込まれる、および／または、複数のカルテ記入アプリケーションに出力されることが可能である。
【００７７】
一の実施の形態において、該患者監視システムは、手術室及び集中治療環境において患者達の意識の深さ及び沈静レベルを計測するバイスペクトラルインデックス（ＢＩＳｘ）モジュールを有する。これにより、大きな独立型システムが不要になる。このタイプのモジュールは、臨床医達に追加の投薬が必要な時間を報知することによって、手術中の患者の覚醒を抑制するために用いられる。ＢＩＳｘ解析は、該ＥＥＧの全周波数レンジを通した周波数、力、及び、段階から計算され、１から１００までの指標として表現される。大人および小児科用センサは、該同一のモジュールと連携する。該モジュールは、１のモニタから別のモニタへ容易に移動される。
【００７８】
一の実施の形態において、該患者監視システムは、酸素の供給及び消費のバランスを評価するために、混合静脈血酸素飽和度（ＳｖＯ２）及び中心静脈血酸素飽和度（ＳｃｖＯ２）を計測する混合静脈血酸素飽和度（ＳｖＯ２）モジュールを備える。静脈血酸素飽和度は、重病の患者達においてますます用いられるようになっている。早期目標指向型治療の一部として、また、敗血症のスクリーニングにおいて、心臓血管及び呼吸機能の障害の評価に役立つよう用いられることがある。静脈モニタリングにおけるカテーテル配置は、動脈モニタリングよりも侵襲性が小さいので、より多くの患者達に利用可能である。中心静脈血酸素飽和度（Ｓｃｖ０２）のプローブは、現行の１６ｃｍまたは２０ｃｍの中心線内に配置されてもよい。これにより、連続的な中心静脈血酸素飽和度（Ｓｃｖ０２）のモニタリングを行うために、複数の中心静脈カテーテルを交換する必要が低減する、または、必要がなくなる。
【００７９】
一の実施の形態において、該患者監視システムは、脳波活動を測定及び表示するＥＥＧモジュールを有する。一の実施の形態において、このモジュールは、また、電気による筋肉の活動を監視し、測定し、表示する筋電図（ＥＭＧ）の１つのチャンネルを有する。複数のデータ格納としては、２、８、または２４の時間またはスナップ写真が選択可能である。該データは、アナログ動波形として、または、濃度スペクトル配列（ＤＳＡ）として、表示可能である。複数のマグニチュード傾向、複数の出力比傾向、および、複数の周波数傾向の選択、を含む多くの傾向は、利用可能である。統合型電気外科的保護は、患者の安全を確保する。一の実施の形態において、該モジュールは２つの金属板によって囲まれている。
【００８０】
カプノグラフィ／マルチガスポッド
一の実施の形態において、該患者監視システムは、該モニタ・ディスプレイアセンブリの後部に着脱可能な、外付けの側流カプノグラフィまたはマルチガスポッドを有する。これにより、複数のカプノグラフィまたはマルチガス機能は、外付けのポッドを受入れ可能に構成されたモニタディスプレイアセンブリに付加することができる。一の実施の形態において、該ポッドは、該モニタ・ディスプレイアセンブリから電力を受け、複数のポゴピンを介して通信を行う。該ポッドの下部に設けられた複数の大きなガイドピンは、見えない状態で、該モニタ・ディスプレイアセンブリの後部に該ポッドを接続させる。一の実施の形態によれば、該複数のガイドピンは、完全に嵌合したときに能動的なロック及び保持力を該モニタ・ディスプレイアセンブリに提供する複数のボールスタッドエンドを有する。該モニタは、複数の無電解金導体パッドを有し、複数の接触ピンにかかる電圧に該使用者が触れることができないように、小径の電源接点、接地接点、及び、信号接点が埋め込まれている。一の実施の形態において、該ポッド上の押ボタンは、該ポッドを該モニタ・ディスプレイアセンブリに接続・解除するためのラッチ機構を、機械的に作動させる。当業者であれば、該ポッドのモジュール構成が使用者達に、要求に基づいてカプノグラフィまたはマルチガスのうちどちらかと共に、選択的に複数のモニタ・ディスプレイアセンブリを与えることを高く評価するであろう。
【００８１】
本発明は、複数の実施の形態を対象とする。下記の開示は、当業者が発明を実施するために行われる。本明細書に使用される言葉は、特定の実施の形態の全体の否定と解釈されたり、開示において使用される文言の意味を越えてクレームを限定すべきでない。ここに定義された原則は、発明の精神と範囲から離れない限り、他の複数の実施の形態や出願に適用されてもよい。また、使用される専門用語や表現は、例示する複数の実施の形態を説明するためのものであるので、限定とみなされるべきでない。つまり、本発明は、開示された原則及び特徴に整合する多数の代替手段、変更例、および、等価物を含んだ最も広い範囲として、扱われるべきである。明確化の観点から、本発明が不必要にわかりにくくならないよう、本発明に関連する複数の技術分野において知られる技工物については、詳細に記載されていない。
【００８２】
当然のことながら、複数の装置間の電気的な通信は、該複数の装置または複数のコンピューティングシステムのうちいずれかにおいて実行される複数のアプリケーション間のデータの送受信によって達成されてもよい。各アプリケーションは、そのような要求データ及び情報を受信し、送信し、認識し、中断し、処理するように構成されている。また、当然のことながら、本明細書に記載のシステムは、複数の受信機と、データを送信及び伝送可能な複数の送信機と、プログラムの複数の指示を処理可能な少なくとも１つの処理装置と、プログラムの複数の指示を記憶するメモリと、本明細書に記載の処理を実行するための複数のプログラムの指示を有するソフトウェアと、を備える。
【００８３】
図１は、患者監視システム１００の複数の要素の例示的な構成を示す一の実施の形態を示すブロック図であって、複数のＤＳＢケーブル１２０が患者パラメータ計測装置１１５及び該モニタ・ディスプレイアセンブリ１０２への接続に使用される状態を示す図。本実施の形態において、１つのモジュール１０６は、ＤＳＢケーブル１１６を介して、該モニタ１０２に接続されている。該ＤＳＢケーブル１１６は、図示せぬモジュールベイのＤＳＢコネクタに直接接続されている。
【００８４】
患者達が病院内の複数の治療区域間を搬送されることがよくある。移送中であってもＥＣＧ、ＳｐＯ２、ＮＩＢＰ、カプノグラフィ、および、その他のパラメータを監視することは、特に重症患者達にとって、一般的なことである。そのため、本明細書の一面に従って、該患者監視システムは、携帯性及び全体的に小型化に効果がある、組合わされたモニタ・ディスプレイアセンブリを備える。該モニタ・ディスプレイアセンブリはドッキングステーションを使用する。ドッキングステーションは、該モニタ・ディスプレイアセンブリとのドッキング及びドッキング解除を行う単一の押しボタンを備えている。また、一の実施の形態において、外付けのカプノグラフィまたはマルチガスポッドは、ドッキングされたまたはドッキングされていないモニタの後部に取り付け可能である。これにより、携帯性の設計の全体的なモジュール性を提供する。
【００８５】
図２Ａは、患者監視システムのモニタ・ディスプレイアセンブリ200の一の実施の形態を示す側面斜視図である。アセンブリ２００は、ディスプレイ２１０の後部に操作可能であって移動不能に固定されたモニタ２０５と、を備える。一の実施の形態において、ディスプレイ２１０は、ディスプレイ２１０の前部の上端近傍に前警報領域２２０を備える。一の実施の形態において、図３を参照しながら説明されるように、前警報領域２２０は、使用者に警報の音量制御を行わせるタッチスクリーンとしても機能する。モニタ・ディスプレイアセンブリ２００は、また、電源ボタン２５０を備える。図示された実施の形態において、電源ボタン２５０はディスプレイ２１０の下右側部上に配置されている。一の実施の形態において、使用者は、３秒間電源ボタン２５０を押下することによって、アセンブリ２００の電源をオンまたはオフすることができる。一の実施の形態において、電源ボタン２５０は、緑のバックライトにより点灯され、オン状態であることを示す。一の実施の形態において、アセンブリ200は、電源ボタン２５０の直下にプログレスバー（図示せず）を有する。プログレスバーが満ちることで、使用者に処理の開始を示すことができる。
【００８６】
一の実施の形態において、モニタ・ディスプレイアセンブリ２００のモニタ２０５は、モニタ・ディスプレイアセンブリ２００の複数の機能を拡張するためのプリンタスロット２３０を備える。一の実施の形態において、該プリンタは５０ｍｍの用紙に対応する。一の実施の形態において、モニタ・ディスプレイアセンブリ200のモニタ２０５は、再充電可能電池の区画を覆う電池区画カバー２４０を備える。
【００８７】
図２Ｂは、モニタ・ディスプレイアセンブリ２００のモニタ２０５及びディスプレイ２１０の一部の一の実施の形態を示す側面斜視図であって、再充電可能な電池２４５がモニタ２０５から一部取り外されている状態を示す図である。電源ボタン２５０は、ディスプレイ２１０の右下側部上に配置されている。図示された実施の形態において、電池区画カバー２４０は開放されており、電池２４５は部分的にモニタ２０５から滑り出ている。一の実施の形態において、上述したように、電池２４５は複数の「高性能の」リチウムイオン電池を備える。
【００８８】
図２Ｃは、ハンドル２６０が上位置にあるときのモニタ・ディスプレイアセンブリ２００の一の実施の形態を示す側面図である。一の実施の形態において、モニタ・ディスプレイアセンブリ２００は、ディスプレイ２１０に固定的に装着されディスプレイ２１０と通信可能なモニタ２０５を備える。一の実施の形態において、モニタ２０５は、一組のねじによって、ディスプレイ２１０の後部に固定的に取付けられている。ハンドル２６０は、一の実施の形態において、上位置及び下位置に向けて回転可能である。ハンドル２６０が解放され、または、手が離されたとき、それは徐々にデフォルトの下位置（図示せず）に向かって落下する。一の実施の形態において、回転ダンパはハンドル２６０の（その上位置から解放された）下降動作を抑制し、ハンドル２６０がモニタ２０５に叩きつけられない。これにより、患者達の気を散らせることなく、ハンドル２６０及びモニタ・ディスプレイアセンブリ２００は静かに使用されることができる。一の実施の形態によれば、ハンドル２６０は、ハンドル２６０を用いてモニタ・ディスプレイアセンブリ２００を運搬する際に、ディスプレイ２１０が床に対して直交するようにバランスをとることのできる所定の設定点を有する。これにより、モニタ・ディスプレイアセンブリ２００が使用者の脚の邪魔にならず、腕や手に厄介な力がかかったりすることがないので、ハンドル２６０を用いてモニタ・ディスプレイアセンブリ２００を持ち歩くことがとても容易になる。
【００８９】
図示された実施の形態において、図２Ｃは、モニタ・ディスプレイアセンブリ２００の右側を示しており、また、電源ボタン２５０、プリンタスロット230、および、電池区画カバー２４０を図示している。モニタ・ディスプレイアセンブリ２００の左側には、モジュール挿入するためのスロットが設けられている（図９Ｂ及び図１０に示されるように）。
【００９０】
図２Ｄは、モニタ・ディスプレイアセンブリ２００の一の実施の形態を示す背面図であって、複数のレセプタクルを示す。ディスプレイ２１０部は、アセンブリ２００の後部からの複数の視覚的な警報の視認性を得るための後警報灯２２５を備える。アセンブリは、それぞれモニタ２０５の上部と下部に位置する一組の吸気口２２６、２２９を備える。モニタ２０５の後部は、アセンブリ２００を装着するための、複数の標準７５ｍｍのＶＥＳＡマウンティング穴２９０を有する。一の実施の形態において、モニタ２０５は、図９Ａ、図９Ｂ、図１０を参照して説明されるように、カプノグラフィまたはマルチガスポッド用の接続ポート２８０をさらに有する。一の実施の形態において、アセンブリ２００は、モニタ２０５を接地するための等電位端子２７９を有する。
【００９１】
一の実施の形態において、アセンブリ２００は、モニタ２０５の下後面を横切る複数のレセプタクルを備える。様々な実施の形態において、これらの複数のレセプタクルは、外部のナースアラート２７１用の警報リレー出力と、ＳＤＬＣポート２７２と、映像出力用ＤＶＩポート２７３と、４つのＵＳＢポート２７４と、シリアルポート２７５と、イーサネットポート２７６と、直流電源用の入力ポート２７７とを備える。
【００９２】
一の実施の形態において、ディスプレイは、警報音量用のタッチスクリーンの領域を有する。図３は、患者監視システムの他の実施の形態の正面図であって、外付けディスプレイ３０４とディスプレイ３０４の前部の赤い警報光３１０とを示す。図示された実施の形態において、ガラスは、透過光が通過するように扱われる。黒縁は、ガラスの背部上であって外周にシルクスクリーンされている。該黒縁はインクを備え、インクは、シルクスクリーンされる、または、マスクされた外縁領域上に散布される。該黒縁は、連続的及び均一な外観を得るが、警報が鳴ったときには視覚的な警報を生成するために光を通過させる。つまり、ディスプレイ３０４の該黒縁は、警報が発生するまでは均一及び連続的に見える。警報が起動すると、警報を示すため、ディスプレイ３０４の本体に組込まれた光源は、ディスプレイ３０４の前部を覆うガラスに向けて適切な波長の光を送信する。他の実施例において、ガラスは、送信された光が通過可能な複数の小さな開口部を有する。ディスプレイ３０４は、上部近傍に警報音量制御のためのアクティブタッチスクリーン領域３０９を有する。一の実施の形態において、アクティブな警報状態の間、視覚的警報バー３１０はディスプレイの上部近傍において点灯する。一の実施の形態において、アクティブな警報状態の間、視覚的警報バー３１０は点滅する。他の実施の形態において、アクティブな警報状態の間、視覚的警報バー３１０は連続的に点灯する。一の実施の形態において、照明は、ガラスの背後の複数のＬＥＤにより供給される。一の実施の形態において、赤い光は高優先度の警報を示す。ディスプレイは、中優先度の警報を示す黄色の光と、低優先度の警報を示すシアンの光も出射可能である。複数の警報光は、使用者によって設定可能であって、スクリーン上の警報表示および／または警報音から独立して起動することができる複数の警報光の最小レベルを定義する。
【００９３】
一の実施の形態において、視覚的警報バー３１０は、音波を放出する鈴の形のアイコン３１１（図のように）、または、医療従事者に警報状態であることを報知するための他の同様のアイコンを有する。鈴アイコン３１１は、視覚的警報バー３１０の中央に配置されている。視覚的警報バー３１０は、さらに、鈴アイコン３１１の一方側に設けられたマイナスアイコン３１２と、マイナスアイコン３１２と鈴アイコン３１１の間に位置する減少バー３１４と、を有する。視覚的警報バー３１０は、さらに、鈴アイコン３１１の反対側に設けられたプラスアイコン３１３と、プラスアイコン３１３と鈴アイコン３１１の間に位置する増加バー３１５と、を有する。様々な他の実施の形態において、マイナスアイコンは、下向き矢印等の減少を示す他のアイコンであってもよいし、プラスアイコンは、上向き矢印等の増加を意味する他のアイコンでもよい。図示した実施の形態において、マイナスアイコン３１２は鈴アイコン３１１の左側に配置され、プラスアイコン３１３３は鈴アイコン３１１の右側に配置されている。他の実施の形態において、アイコンの位置は反転している。一の実施の形態において、マイナスアイコン３１２及びプラスアイコン３１３は緑に点灯する。一の実施の形態において、鈴アイコン３１１、減少バー３１４、増加バー３１５を含む視覚的警報バー３１０が点灯したとき（換言すれば、アクティブな警報状態が開始したとき）、マイナスアイコン３１２及びプラスアイコン３１３は点灯する。他の実施の形態において、アクティブな警報状態が開始したとき、視覚的警報バー３１０の構成要素である鈴アイコン３１１、減少バー３１４、及び、増加バー３１５のみが点灯する。音量制御をするには、使用者は、マイナスアイコン３１２及びプラスアイコン３１３が視認されるように視覚的警報タッチスクリーン領域３０９上のどこかを押さなければならない。
【００９４】
警報状態でないとき、視覚的警報バー３１０は消灯しているように見える。警報状態において、視覚的警報バー３１０は、現在の警報レベルに対応する所定の色を点灯する。使用者は、マイナスアイコン３１２上、減少バー３１４上、または、鈴アイコン３１１のうちマイナスアイコン３１２と同じ側にある部分上のタッチスクリーン領域３０９のどこかを押すことによって、警報音量を下げることができる。使用者は、繰返し当該領域を押すことによって、警報音量を下げ続けることができる。使用者は、プラスアイコン３１３上、増加バー３１５上、または、鈴アイコン３１１のうちプラスアイコン３１３と同じ側にある部分上のタッチスクリーン領域３０９のどこかを押すことによって、警報音量を上げることができる。使用者は、繰返し当該領域を押すことによって、警報音量を上げ続けることができる。
【００９５】
図４は、モニタ・ディスプレイアセンブリのモニタ４４０の内部構成要素のの一の実施の形態を示す内部斜視図である。モニタ・ディスプレイアセンブリにおいて、モニタ４４０の複数の回路基板４４５は全て取り外し可能な内部シャーシ４５０に装着されている。シャーシ４３０は、モニタ４４０の機能を全て維持した状態のままで、モニタ・ディスプレイアセンブリの筐体から取り外し可能である。各回路基板４４５は、個別的にアクセス可能である。これにより、サービススタッフは、モニタ４４０を完全に分解することなく、容易に全ての回路基板／構成要素を修理し、基板／構成要素と交換することができる。
【００９６】
図５は、迅速なマウント解除５０１の一の実施の形態を示す前方斜視図である。迅速なマウント解除５０１は、上の壁、麻酔装置、テーブルトップ等から嵌合解除するときのように、固定されたマウントからのモニタ・ディスプレイアセンブリの迅速な嵌合解除を可能にする。レバー５０５は、ピン５１０上を摺動し、指の押圧によりピンを解除することができる。これにより、モニタ・ディスプレイアセンブリの前部から複数のマウントの嵌合・解除を行うことが容易になる。
【００９７】
図６は、患者監視システムのコマンドモジュール６６０の一の実施の形態を示す前方斜視図である。一の実施の形態において、コマンドモジュールは、成人及び新生児両方のＮＩＢＰ、ＩＢＰ、ＥＣＧ、ＳｐＯ２、心拍量、及び温度を計測可能であって、手動でＮＩＢＰ計測を無効にするための停止ボタンを備える。一の実施の形態において、該コマンドモジュールは、ＳＤＬＣバスを介して、複数のスペースラブ健康管理モニタと通信し電力を得る。一の実施の形態において、該コマンドモジュールは、内部メモリを有する。該内部メモリによって、該モジュールは、搬送中に患者に装着され、データロスなく別体のモニタに接続される。一の実施の形態において、該モジュールは、二枚の金属板に囲まれている。一の実施の形態において、該モジュールは、幅５．５９センチメートル（２．２インチ）×高さ１１．４センチメートル（４．５インチ）×厚さ１７．８センチメートル（７．０インチ）を計測する。他の複数の実施の形態において、該モジュールは、幅４．８３〜６．３５センチメートル（１．９〜２．５インチ）×高さ８．８９〜１４．０センチメートル（３．５〜５．５インチ）×幅１２．７〜２２．９センチメートル（５．０〜９．０インチ）を計測する。
【００９８】
図７Ａ及び図７Ｂは、ドッキングステーション700の一の実施の形態の異なる正面図である。ドッキングステーション７００は、１のボタンを押すことによりディスプレイアセンブリのドッキングを解除する。図７Ｃは、ステーション７００にドッキングしたモニタ・ディスプレイアセンブリ７１５の背面図である。図７Ａ〜７Ｃを同時に参照して、イーサネット接続、外付けディスプレイ用のＤＶＩ、ＵＳＢ、複数のシリアルポート、外部ナースアラート／外部音響装置／赤外線受信機、電力及びＳＤＬＣ（同期データリンク制御）ポート等の複数のレセプタクル７０５は、ドッキングステーション７００上に複製されている。成形された特徴７１０は、ドッキングする際に、モニタ・ディスプレイアセンブリ７１５の後部の複数のレセプタクルを覆う。これにより、複数のレセプタクルは、２度以上接続されることを抑制されている。全ての外部信号は、モニタ・ディスプレイアセンブリ７１５の下部に位置し、ドッキングステーション７００の受け面のコネクタ７２５と接続する１つのドッキングコネクタに送られる。これらの信号は、モニタがドッキングされたときにはアクティブに切換え、ドッキングされなかったときには非アクティブのままにし、該モニタ・ディスプレイアセンブリ７１５がドッキングされていないときには、接続された複数のコネクタピン７２５に電圧をかけない。
【００９９】
一の実施の形態に従い、複数の開口部７３０によって、ドッキングされたときにも、成形された特徴７１０において下部に設けられたモニタ・ディスプレイアセンブリ７１５の複数の吸気口は遮られないままである。一の実施の形態において、モニタ・ディスプレイアセンブリ７１５と共に使用される同一の外壁、ロールスタンド、及び、固定された複数のマウントがドッキングステーション７００と連携するように、ドッキングステーション７００は構造的に標準４ホールＶＥＳＡ重複マウントパターン７３５で成形されている。一の実施の形態において、ドッキングステーション７００は、モニタ・ディスプレイアセンブリ７１５の下部周辺の外形に合う外周縁の周辺に位置する成型凹部を有する。ドッキングステーション７００における成型凹部７４０は、外方向に僅かな傾斜を有する。該傾斜は、モニタ・ディスプレイアセンブリ７１５を第１粗調整としての位置に案内するのに役立つ。一の実施の形態において、モニタ・ディスプレイアセンブリ７１５をさらに配置すると、２つの大きなドーム型のガイドピン７４５がドック７００内に嵌合する。ガイドピン７４５は、モニタ・ディスプレイアセンブリ７１５を正確に配置し、モニタ・ディスプレイアセンブリコネクタ及びドッキングステーションコネクタ７２５は円滑に接続される。
【０１００】
ドッキングステーション７００の一の実施の形態は、その前部にボタン７５０を有する。ボタン７５０は、ラッチを解除し、モニタ・ディスプレイアセンブリ７１５のドッキング解除に使用される。任意で、該モニタ・ディスプレイアセンブリがドッキングしたときに、ボタン７５０をバックライトで照らす。これにより、暗い部屋の中でもその位置が容易に認識できる。
【０１０１】
図８は、ドッキングステーションＰＣＢＡ（プリント回路基板アセンブリ）８００を示すブロック図である。ドッキングステーションＰＣＢＡ８００において、コネクタ８２０は、ドッキング時にはモニタ・ディスプレイアセンブリの下部に設けられた対応するコネクタに接続され、複数の外部信号の全てをモニタ・ディスプレイアセンブリからドッキングステーションに複製された複数のレセプタクル８５０に送る。一の実施の形態において、交流／直流のブリックレセプタクル（Ｂｒｉｃｋ  ｒｅｃｅｐｔａｃｌｅ）８５１は、コネクタ８２０を介して、交流電力をモニタ・ディスプレイアセンブリへ供給する。一の実施の形態において、コネクタ８２０は、シリアルポート８５２を介したモニタ・ディスプレイアセンブリへのシリアル通信を提供する。一の実施の形態において、SDLC及び電源は、コネクタ８２０からＳＤＬＣフレックスポート（Ｆｌｅｘｐｏｒｔ）８５３へ伝達される。一の実施の形態において、Ｙ−ＤＶＩビデオ信号は、コネクタ８２０から１チャンネルＤＶＩビデオポート８５４へ伝達される。一の実施の形態において、外付けのナースアラート情報は、コネクタ８２０からナースアラートポート８５０に送られる。一の実施の形態において、４つのＹ−ＵＳＢ信号は、コネクタ８２０から２つに分けられた４つのＵＳＢポート８５６、８５７、８５８、８５９に送信される。一の実施の形態において、Ｙ−Ｅｔｈｅｒｎｅｔ信号は、コネクタ８２０からイーサネットポート８６０に伝達される。
【０１０２】
図９Ａ及び９Ｂは、モニタ・ディスプレイアセンブリ９００の後部に取付けるために外付け可能な側流カプノグラフィまたはマルチガスポッド９５５の一の実施の形態を示す。一の実施の形態において、ポッド９５５は、モニタ・ディスプレイアセンブリ９００から電力を受け、複数のポゴピン９１５を介して通信を行う。複数のピン９１５は、接地のための大きな領域を提供する。これにより、モニタ・ディスプレイアセンブリの後部に設けられた複数のコネクタに接続するために求められるポゴピンの数が少なくて済む。該ポッドの下部に設けられた複数の大きなガイドピン９２０は、見えない状態で、モニタ・ディスプレイアセンブリ９００の後部に該ポッドを接続させる。一の実施の形態によれば、複数のガイドピン９２０は、完全に嵌合したときに能動的なロック及び保持力をモニタ・ディスプレイアセンブリに提供する複数のボールスタッドエンド９２５を有する。一の実施の形態によれば、モニタ・ディスプレイアセンブリ９００は、複数の無電解金導体パッドを有し、電源接点、接地接点、及び、信号接点を実現している。複数の接触パッドは、複数の小径の凹部内に配置され、複数の接触ピンにかかる電圧に使用者が触れることができないように構成されている。一の実施の形態において、ポッド上の押ボタン９３０は、ポッド９５５をモニタ・ディスプレイアセンブリ９００に接続・解除するためのラッチ機構を、機械的に作動させる。吸気口９４０及び排気口９４５等の複数のレセプタクルは、ポッド９５５の一方側に設けられている。当業者であれば、ポッド９５５のモジュール構成が、要求に基づいてカプノグラフィまたはマルチガスのうちどちらかと共に、選択的に複数のモニタ・ディスプレイアセンブリを使用者達に与えることを高く評価するであろう。
【０１０３】
図９Ｂは、モニタ・ディスプレイアセンブリ９００のモニタ９０５の左側に挿入されたモジュール９６０も示している。
【０１０４】
図１０は、携帯性の観点から、ドッキングステーション１０２０にドッキングされたモニタ・ディスプレイアセンブリ１０００の背面図である。一の実施の形態によれば、モニタ・ディスプレイアセンブリ１０００は、外付けのカプノグラフィまたはマルチガスポッド１０５５を備える。図１０は、モニタ・ディスプレイアセンブリ１０００のモニタ１００５の左側に挿入されたモジュール１０６０も示している。
【０１０５】
上記の例示は、本発明のシステムのうち複数の一例に過ぎない。いくつかの本発明の実施の形態だけがここに記載されているが、本発明は、発明の精神または範囲から逸脱しない限り様々な他の所定の形態で具体化され得ることは理解されるべきである。したがって、本例示及び実施の形態は、説明のためのものであるとみなされるべきであって、限定的に扱うべきではない。本発明は、添付の請求の範囲内において変更してもよい。
【図１】
2018057914.tif 000003
【図２Ａ】
2018057914.tif 000004
【図２Ｂ】
2018057914.tif 000005
【図２Ｃ】
2018057914.tif 000006
【図２Ｄ】
2018057914.tif 000007
【図３】
2018057914.tif 000008
【図４】
2018057914.tif 000009
【図５】
2018057914.tif 000010
【図６】
2018057914.tif 000011
【図７Ａ】
2018057914.tif 000012
【図７Ｂ】
2018057914.tif 000013
【図７Ｃ】
2018057914.tif 000014
【図８】
2018057914.tif 000015
【図９Ａ】
2018057914.tif 000016
【図９Ｂ】
2018057914.tif 000017
【図１０】
2018057914.tif 000018